(57)【要約】【課題】外部空間の温度管理がされている環境下では蓋を外すことなく収容室の温度を外部空間の温度に迅速に追従させることができ、温度管理がされていない環境下では収容室の温度変化を抑制することが可能な断熱容器を提供する。【解決手段】容器１０と、容器１０の開口部１０ａを閉塞する蓋２０と、容器１０の内部空間ＩＳと外部空間ＥＳとを連通する外部通気孔３０と、内部空間ＩＳを仕切る仕切板４０と、を備えた断熱容器１００である。仕切板４０は、外部通気孔３０に対向して内部空間ＩＳに断熱室５０を画定する外壁面４１と、内部空間ＩＳに内容物の収容室６０を画定する内壁面４２と、を有する。断熱容器１００は、断熱室５０と収容室６０とを連通する内部通気孔７０を備える。【選択図】図４
2020045110.tif 000002
【特許請求の範囲】
【請求項１】
容器と、該容器の上端部に設けられた開口部を閉塞する蓋と、該蓋により前記開口部が閉塞された前記容器の内部空間と外部空間とを連通する外部通気孔と、前記内部空間を仕切る仕切板と、を備えた断熱容器であって、
前記仕切板は、前記外部通気孔に対向して前記内部空間に断熱室を画定する外壁面と、前記内部空間に内容物の収容室を画定する内壁面と、を有し、
前記断熱室と前記収容室とを連通する内部通気孔を備えることを特徴とする断熱容器。
【請求項２】
前記外部通気孔は、前記容器の側壁の上端部に設けられた外部通気溝と前記蓋とによって画定され、
前記内部通気孔は、前記仕切板の上端部に設けられた内部通気溝と前記蓋とによって画定されることを特徴とする請求項１に記載の断熱容器。
【請求項３】
前記外部通気孔は、前記容器の側壁の下端部に開口する貫通孔であり、
前記内部通気孔は、前記仕切板の下端部に設けられた内部通気溝と前記容器の底壁とによって画定されることを特徴とする請求項１に記載の断熱容器。
【請求項４】
前記内部通気孔は、前記外部通気孔に対向する位置から側方にずれた位置に設けられていることを特徴とする請求項２または請求項３に記載の断熱容器。
【請求項５】
前記仕切板は、前記断熱室の空気の対流を抑制する対流抑制部と、前記断熱室の空気の対流を許容する対流許容部とを有し、
前記対流抑制部と前記側壁との間隔は、前記対流許容部と前記側壁との間隔よりも狭いことを特徴とする請求項２または請求項３に記載の断熱容器。
【請求項６】
前記対流許容部は、前記外部通気孔に対向する前記仕切板の端部に設けられていることを特徴とする請求項５に記載の断熱容器。
【請求項７】
前記対流許容部は、前記仕切板の上端から下端まで連続していることを特徴とする請求項５に記載の断熱容器。
【請求項８】
前記仕切板は、前記容器の側壁に設けられた係合部に取り外し可能に係合されることを特徴とする請求項１に記載の断熱容器。
【発明の詳細な説明】
【技術分野】
【０００１】
本開示は、断熱容器に関する。
【背景技術】
【０００２】
従来から食品、電気製品等を収容する発泡スチロール製箱の仕切り構造に関する考案が知られている（下記特許文献１を参照）。この従来構造は、方形箱の身の相対する壁面の内側に、上端より下方に向け複数の対向した溝が形成され、対向した溝間に仕切り板が着脱可能に嵌入されていることを特徴としている（同文献、請求項１等を参照。）。
【０００３】
この従来構造によれば、対向した溝が複数形成されているため、仕切り板の嵌入する溝を選択することにより区画室の大きさは自由に調節できる。したがって、収容物品の種類による区分けや、本体と付属品等の区分け等その物品に応じて、最も適切に箱内に収容できるよう区画できる（同文献、第００１３段落等を参照。）。
【０００４】
また、イカ、鮮魚等の被梱包物を好適に冷却することができる保冷容器に関する発明が知られている（下記特許文献２を参照。）。この従来の保冷容器は、上方に開口した開口部が形成された容器本体と、その容器本体の前記開口部を覆うように被着自在な蓋体とを備え、容器本体に蓋体を被着した状態で、内部に被梱包物を収容する収容空間が形成される（同文献、請求項１等を参照。）。
【０００５】
この従来の保冷容器は、容器本体に蓋体を被着した状態で、保冷容器の側壁部には、保冷容器の外部と収容空間とを連通する貫通孔が形成されている。この貫通孔は、保冷容器の側壁部を水平方向から見た側面視において、保冷容器の外部から貫通孔を介して収容空間が見えないように形成されている。また、この貫通孔は、保冷容器の側壁部を水平方向に対して斜め上方向から見たときに、保冷容器の外部から貫通孔を介して収容空間が見えるように形成されている。
【０００６】
この従来の保冷容器によれば、保冷容器の外部上方から下方に向かって流れやすい冷気を、貫通孔に沿って流しやすくすることができる。そのため、保冷容器の外部の冷気を、貫通孔を介して収容空間に取り込みやすく、保冷容器内の被梱包物を迅速に冷却することができる（同文献、第００１２段落を参照。）。
【０００７】
また、保冷容器の下方から上方に向かって流れやすい暖気を、保冷容器の外部から貫通孔に沿って収容空間に入り込みにくくすることができる。さらに、収容空間の上方から下方に向かって流れやすい予冷された被梱包物の冷気を、保冷容器の収容空間から貫通孔に沿って外部に流れ出しにくくすることができる。このような結果、収容空間に収容された被梱包物の保冷性を高めることができる（同文献、第００１３段落を参照。）。
【先行技術文献】
【特許文献】
【０００８】
【特許文献１】実用新案登録第３０１１５８５号公報
【特許文献２】特開２０１６−１４５０８１号公報
【発明の概要】
【発明が解決しようとする課題】
【０００９】
断熱容器は、たとえば、冷凍または冷蔵貨物の輸送に使用される温度管理が可能なリーファーコンテナに収容される場合がある。前記特許文献１に記載された従来構造の発泡スチロール製箱は、通気孔を有しない。そのため、リーファーコンテナ内で方形箱本体の内部に冷気を取り入れるためには、身と蓋からなる方形箱本体の蓋を外して身の開口部を開放する必要がある。
【００１０】
これに対し、前記特許文献２に記載された保冷容器は、リーファーコンテナ内の冷気を、貫通孔を介して収容空間に取り込み、保冷容器内の被梱包物を迅速に冷却することができる。しかしながら、この従来の保冷容器は、温度管理がされている環境下で収容空間の温度を外部の温度に迅速に追従させるために貫通孔を大きくすると、温度管理がされていない環境下で収容空間の温度変化が大きくなるという課題がある。
【００１１】
本開示は、外部空間の温度管理がされている環境下では蓋を外すことなく収容室の温度を外部空間の温度に迅速に追従させることができ、外部空間の温度管理がされていない環境下では収容室の温度変化を抑制することが可能な断熱容器を提供する。
【課題を解決するための手段】
【００１２】
本開示の一態様は、容器と、該容器の上端部に設けられた開口部を閉塞する蓋と、該蓋により前記開口部が閉塞された前記容器の内部空間と外部空間とを連通する外部通気孔と、前記内部空間を仕切る仕切板と、を備えた断熱容器であって、前記仕切板は、前記外部通気孔に対向して前記内部空間に断熱室を画定する外壁面と、前記内部空間に内容物の収容室を画定する内壁面と、を有し、前記断熱室と前記収容室とを連通する内部通気孔を備えることを特徴とする断熱容器である。
【００１３】
この構成により、断熱容器は、温度管理がされている環境下では、容器の上端部の開口部が蓋によって閉塞された状態で、容器の内部空間と外部空間とを連通する外部通気孔を介して、外部空間の空気を内部空間へ導入することができる。断熱容器の内部空間へ導入された空気は、仕切板によって仕切られた断熱室へ流入する。
【００１４】
仕切板は、容器の内部で容器外方を向く外壁面によって、容器の内部空間の最も外方側に断熱室を画定する。また、仕切板は、容器の内部で容器内方を向く内壁面によって、断熱室よりも容器の内部空間の内方側に、容器の内容物を収容するための収容室を画定する。そして、断熱容器は、容器の内部空間の外方側に位置する断熱室と、その断熱室よりも容器の内部空間の内方側に位置する収容室とを連通する内部通気孔を有している。
【００１５】
そのため、容器の外部空間から外部通気孔を介して断熱室へ流入した空気は、容器の内部空間の外方側に位置する断熱室から、容器の内部空間の内方側に位置する収容室へ、内部通気孔を介して導入される。このように、容器の外部空間の温度管理がされている環境下では、外部通気孔、断熱室、および内部通気孔を介して、容器の外部の空気を容器の内部の収容室へ導入することができる。これにより、容器の開口部を閉塞する蓋を外すことなく、収容室の温度を外部の温度に迅速に追従させることができる。
【００１６】
また、断熱容器は、外部空間の温度管理がされている環境から、外部空間の温度管理がされていない環境に搬出される場合がある。この場合に、収容室よりも容器の内部空間の外方側に位置する断熱室の空気が、容器の外部空間と収容室との間の伝熱を抑制する断熱層として機能する。これにより、容器の外部空間の温度管理がされていない環境下では、断熱室の空気によって容器の外部空間と収容室との間を断熱し、収容室の温度変化を抑制することができる。
【００１７】
また、断熱容器の外部空間の温度管理がされていない環境下では、外部空間の温度管理がされていた環境下で収容室に流入した空気が、収容室から内部通気孔を介して断熱室へ流出する。これにより、断熱容器の外部空間と断熱室との間の伝熱によって断熱室と収容室との温度差が拡大することが抑制される。したがって、断熱室による断熱効果を向上させ、断熱容器の外部空間と収容室との間の伝熱による温度変化を抑制することができる。
【００１８】
前記断熱容器において、前記外部通気孔は、前記容器の側壁の上端部に設けられた外部通気溝と前記蓋とによって画定され、前記内部通気孔は、前記仕切板の上端部に設けられた内部通気溝と前記蓋とによって画定されていてもよい。
【００１９】
この構成により、たとえば、断熱容器を保冷容器として用いる場合に、断熱容器の外部空間で冷凍または冷蔵用の低温管理がされている環境下で、蓋を外すことなく、収容室の温度を外部環境の温度に追従させて迅速に低下させることができる。また、断熱容器の外部空間で冷凍または冷蔵用の低温管理がされていない環境下では、収容室の温度上昇を抑制することができる。
【００２０】
前記断熱容器において、前記外部通気孔は、前記容器の側壁の下端部に開口する貫通孔であり、前記内部通気孔は、前記仕切板の下端部に設けられた内部通気溝と前記容器の底壁とによって画定されていてもよい。
【００２１】
この構成により、たとえば、断熱容器を保冷容器として用いる場合に、断熱容器の外部空間で冷凍または冷蔵用の低温管理がされている環境下で、蓋を外すことなく、収容室の温度を外部環境の温度に追従させて迅速に低下させることができる。また、断熱容器の外部空間で冷凍または冷蔵用の温度管理がされていない環境下では、収容室の温度上昇を抑制することができる。
【００２２】
また、たとえば、断熱容器を保温容器として用いる場合に、断熱容器の外部空間で保温用の温度管理がされている環境下で、蓋を外すことなく、収容室の温度を外部環境の温度に追従させて迅速に上昇させることができる。また、断熱容器の外部空間で保温用の温度管理がされていない環境下では、収容室の温度低下を抑制することができる。
【００２３】
前記断熱容器において、前記内部通気孔は、前記外部通気孔に対向する位置から側方にずれた位置に設けられていてもよい。
【００２４】
この構成により、断熱容器の外部空間の温度管理がされている環境下では、容器の外部空間から外部通気孔を介して断熱室へ流入した空気が仕切板の外壁面に衝突し、断熱室に行き渡りやすくなる。これにより、断熱室の温度を、温度管理がされた断熱容器の外部空間の温度に迅速に追従させることができる。したがって、断熱室から内部通気孔を介して空気が流入する収容室の温度を、外部空間の温度に迅速に追従させることができる。
【００２５】
また、断熱容器の外部空間の温度管理がされていない環境下では、収容室から内部通気口を介して断熱室へ流出した空気が、断熱室を画定する容器の側壁の内壁面に衝突し、断熱室に行き渡りやすくなる。これにより、断熱容器の外部空間と断熱室との間の伝熱によって断熱室と収容室との温度差が拡大することが抑制される。したがって、断熱室による断熱効果を向上させ、断熱容器の外部空間と収容室との間の伝熱による温度変化を抑制することができる。
【００２６】
前記断熱容器において、前記仕切板は、前記断熱室の空気の対流を抑制する対流抑制部と、前記断熱室の空気の対流を許容する対流許容部とを有してもよく、前記対流抑制部と前記側壁との間隔は、前記対流許容部と前記側壁との間隔よりも狭くてもよい。
【００２７】
この構成により、断熱容器の外部空間の温度管理がされている環境下で、断熱容器の外部空間から外部通気孔を介して断熱室へ流入した空気は、仕切板の対流許容部と対流抑制部によって断熱室の一部で対流が許容され、断熱室の一部で対流が抑制される。これにより、空気の対流が許容された断熱室の一部の温度を、断熱容器の外部空間の温度に迅速に追従させることができる。したがって、断熱室から内部通気孔を介して空気が流入する収容室の温度を、外部空間の温度に迅速に追従させることができる。一方、断熱容器の外部空間の温度管理がされていない環境下では、仕切板の対流抑制部によって断熱室の一部の空気の対流を抑制し、断熱室の空気による収容室の断熱性を向上させることができる。
【００２８】
前記断熱容器において、前記対流許容部は、前記外部通気孔に対向する前記仕切板の端部に設けられていてもよい。
【００２９】
この構成により、断熱容器の外部空間の温度管理がされている環境下で、外部空間から外部通気孔を介して断熱室へ流入する空気を仕切板の外壁面に衝突させ、対流許容部によって断熱室内で対流させることができる。これにより、仕切板に対流許容部が設けられている断熱室の一部において、断熱室の温度を断熱容器の外部空間の温度に迅速に追従させることができる。さらに、断熱室から内部貫通孔を介して収容室へ空気を流入させることで、収容室の温度を外部空間の温度に迅速に追従させることができる。
【００３０】
前記断熱容器において、前記対流許容部は、前記仕切板の上端から下端まで連続していてもよい。
【００３１】
この構成により、断熱容器の外部空間の温度管理がされている環境下で、外部空間から外部通気孔を介して断熱室へ流入した空気を、断熱室の上端部と下端部との間で対流させ、断熱室の温度を外部空間の温度に迅速に追従させることができる。また、断熱容器の外部空間の温度管理がされていない環境下で、収容室から断熱室へ流出した空気を、断熱室の上端部と下端部との間で対流させ、断熱室と収容室との温度差を低下させることができる。
【００３２】
前記断熱容器において、前記仕切板は、前記容器の側壁に設けられた係合部に取り外し可能に係合されていてもよい。この構成により、仕切板を交換したり、仕切板を取り外して断熱容器を使用したりすることができる。
【発明の効果】
【００３３】
本開示によれば、外部空間の温度管理がされている環境下では蓋を外すことなく収容室の温度を外部空間の温度に迅速に追従させることができ、温度管理がされていない環境下では収容室の温度変化を抑制することが可能な断熱容器を提供することができる。
【図面の簡単な説明】
【００３４】
【図１】本開示の実施形態１に係る断熱容器の斜視図。
【図２】図１に示す断熱容器の分解斜視図。
【図３】図１に示す断熱容器の蓋を取り外した状態の平面図。
【図４】図１に示す断熱容器のIV−IV線に沿う断面図。
【図５】図１に示す断熱容器のV−V線に沿う断面図。
【図６】本開示の実施形態２に係る断熱容器の蓋を取り外した状態の平面図。
【図７】図６に示す断熱容器の仕切板の斜視図。
【図８】図６に示す断熱容器の蓋を取付けた状態の断面図。
【図９】本開示の実施形態３に係る断熱容器の蓋を取り外した状態の平面図。
【図１０】図９に示す断熱容器の仕切板の斜視図。
【図１１】図９に示す断熱容器の蓋を取付けた状態の断面図。
【図１２】本開示の実施例に係る断熱容器の内容物の温度変化を示すグラフ。
【発明を実施するための形態】
【００３５】
以下、図面を参照して本開示の断熱容器の一実施形態を説明する。
【００３６】
［実施形態１］
図１は、本開示の実施形態１に係る断熱容器１００の斜視図である。図２は、図１に示す断熱容器１００の分解斜視図である。図３は、図１に示す断熱容器１００の蓋２０を取り外した状態の平面図である。図４は、図１に示す断熱容器１００のIV−IV線に沿う断面図である。図５は、図１に示す断熱容器１００のV−V線に沿う断面図である。
【００３７】
詳細については後述するが、本実施形態に係る断熱容器１００は、以下の構成を特徴としている。断熱容器１００は、容器１０と、その容器１０の上端部に設けられた開口部１０ａを閉塞する蓋２０と、その蓋２０により開口部１０ａが閉塞された容器１０の内部空間ＩＳと外部空間ＥＳとを連通する外部通気孔３０と、容器１０の内部空間ＩＳを仕切る仕切板４０と、を備えている。仕切板４０は、外部通気孔３０に対向して容器１０の内部空間ＩＳに断熱室５０を画定する外壁面４１と、容器１０の内部空間ＩＳに内容物の収容室６０を画定する内壁面４２と、を有している。そして、断熱容器１００は、断熱室５０と収容室６０とを連通する内部通気孔７０を備えている。
【００３８】
以下、本実施形態の断熱容器１００の構成を詳細に説明する。容器１０は、たとえば、底壁１１と、その底壁１１の周囲に立設された側壁１２と、その側壁１２の上端部によって画定された開口部１０ａとを有している。容器１０は、特に限定されないが、たとえば、おおむね直方体の箱型形状を有している。容器１０は、長方形板状の底壁１１と、その底壁１１の長手方向に沿って延び、底壁１１の短手方向に対向する一対の矩形板状の側壁１２と、を有している。また、容器１０は、底壁１１の短手方向に沿って延び、底壁１１の長手方向に対向する一対の矩形板状の側壁１２と、容器１０の上端部に設けられた長方形の開口部１０ａを有している。
【００３９】
以下では、たとえば、容器１０の長方形板状の底壁１１に垂直な方向を断熱容器１００の高さ方向、底壁１１の短手方向を断熱容器１００の横方向、長方形の底壁１１の長手方向を断熱容器１００の縦方向とする。また、以下の説明における上下、左右、縦横などの方向は、図面を用いて断熱容器１００の各部を説明するための便宜的なものであり、断熱容器１００の使用時の方向を限定するものではない。
【００４０】
断熱容器１００の横方向に対向し、断熱容器１００の縦方向に延びる一対の長側壁である側壁１２は、たとえば、断熱容器１００の高さ方向の上端部に外部通気溝３１を有している。断熱容器１００の長側壁である一対の側壁１２は、たとえば、断熱容器１００の高さ方向の下端部に、貫通孔３２を有している。
【００４１】
外部通気溝３１は、たとえば、側壁１２をその厚さ方向に貫通する切欠きである。側壁１２は、たとえば、複数の外部通気溝３１を有している。複数の外部通気溝３１は、たとえば、断熱容器１００の縦方向に等間隔に設けられている。外部通気溝３１の大きさおよび数は、条件に応じて適宜変更することが可能である。外部通気溝３１は、たとえば、容器１０の縦方向に対向する一対の内側壁と、その一対の内側壁に直交する底壁を有する矩形の断面形状を有している。
【００４２】
外部通気溝３１の底壁は、たとえば、容器１０の底壁１１の下面におおむね平行に設けられている。なお、外部通気溝３１の断面形状は、特に限定されず、たとえば、半円形、半楕円形、その他の形状を有してもよい。また、外部通気溝３１の底壁は、容器１０の底壁１１の下面に対して傾斜していてもよい。この場合、外部通気溝３１の底壁は、たとえば、容器１０の外方から内方へ向けて底壁１１に近づくように傾斜していてもよい。
【００４３】
貫通孔３２は、たとえば、容器１０の底壁１１と側壁１２との間の角部に設けられ、底壁１１および側壁１２をそれぞれの厚さ方向に貫通する切欠きまたは溝である。貫通孔３２は、たとえば、底壁１１の下面と、側壁１２の下端部の外壁面と、側壁１２の下端部の内壁面に開口している。側壁１２は、たとえば、複数の貫通孔３２を有している。複数の貫通孔３２は、たとえば、外部通気溝３１と同様に、断熱容器１００の縦方向に等間隔に設けられている。貫通孔３２の大きさおよび数は、条件に応じて適宜変更することが可能である。貫通孔３２は、たとえば、断熱容器１００の縦方向に対向する一対の内側壁と、その一対の内側壁に直交する上壁を有する矩形の断面形状を有している。
【００４４】
貫通孔３２の上壁は、たとえば、容器１０の底壁１１の下面におおむね平行に設けられている。なお、貫通孔３２の断面形状は、特に限定されず、たとえば、半円形、半楕円形、その他の形状を有してもよい。また、貫通孔３２の上壁は、容器１０の底壁１１の下面に対して傾斜していてもよい。この場合、貫通孔３２の上壁は、たとえば、容器１０の外方から内方へ向けて開口部１０ａまたは蓋２０に近づくように傾斜していてもよい。
【００４５】
断熱容器１００の縦方向に対向し、断熱容器１００の横方向に延びる一対の短側壁である側壁１２は、たとえば、内壁面に断熱容器１００の高さ方向に延びる複数の内壁溝１３を有している。内壁溝１３は、たとえば、側壁１２の上端から下端まで断熱容器１００の高さ方向に連続して設けられている。複数の内壁溝１３は、たとえば、断熱容器１００の横方向に等間隔に設けられている。
【００４６】
内壁溝１３は、たとえば、断熱容器１００の横方向に対向する一対の内側壁と、その一対の内側壁に直交する底壁を有する矩形の断面形状を有している。内壁溝１３の底壁は、たとえば、断熱容器１００の高さ方向におおむね平行に設けられている。なお、内壁溝１３の断面形状は、特に限定されず、たとえば、半円形、半楕円形、その他の形状を有してもよい。断熱容器１００の縦方向に対向する一対の内壁溝１３は、同方向における仕切板４０の両端部を、容器１０の側壁１２の上端の開口から挿入して底壁１１へ向けてスライドさせてはめ込むことができるように、寸法および形状が規定されている。
【００４７】
容器１０の底壁１１は、たとえば、下面に凸部１１ａを有している。凸部１１ａは、たとえば、底壁１１の下面の周縁部の内側の部分を、その周縁部よりも容器１０の開口部１０ａまたは蓋２０から遠ざかるように、下方へ向けて突出させて設けられている。これにより、容器１０の底壁１１を下にして断熱容器１００を平坦な床面に置いたときに、底壁１１の凸部１１ａが床面に接し、容器１０の下面の周縁部と床面との間に隙間が形成されるようになっている。
【００４８】
蓋２０は、容器１０の上端部に設けられた開口部１０ａを閉塞する板状の部材である。蓋２０は、たとえば、上面に凹部２１を有している。凹部２１は、たとえば、蓋２０の上面の周縁部の内側の部分を、周縁部よりも容器１０の底壁１１へ向けて陥没させて設けられている。また、蓋２０は、下面に凸部２２を有している。凸部２２は、たとえば、蓋２０の下面の周縁部の内側の部分を、周縁部よりも容器１０の底壁１１へ向けて突出させて設けられている。
【００４９】
外部通気孔３０は、蓋２０により開口部１０ａが閉塞された容器１０の内部空間ＩＳと外部空間ＥＳとを連通させるように設けられている。断熱容器１００の上端部に設けられた外部通気孔３０は、たとえば、容器１０の側壁１２の上端部に設けられた外部通気溝３１と蓋２０の下面とによって画定されている。一方、断熱容器１００の下端部に設けられた外部通気孔３０は、前述のように、容器１０の側壁１２の下端部に開口する貫通孔３２である。
【００５０】
仕切板４０は、たとえば容器１０の内部空間ＩＳを複数の空間に仕切る板状の部材である。仕切板４０は、前述のように、外部通気孔３０に対向して容器１０の内部空間ＩＳに断熱室５０を画定する外壁面４１と、容器１０の内部空間ＩＳに内容物の収容室６０を画定する内壁面４２と、を有している。仕切板４０は、たとえば外部通気孔３０が設けられた側壁１２におおむね平行に配置され、側壁１２に対して所定の間隔で対向している。
【００５１】
たとえば、断熱容器１００において内容物を収容するための収容室６０の容積を十分に確保する観点から、断熱室５０を画定する仕切板４０と側壁１２との間隔は、その測定方向における収容室６０の寸法の１／２以下であることが好ましい。また、同じ観点から、仕切板４０と側壁１２との間隔は、その測定方向における収容室６０の寸法の１／３以下であることがより好ましく、１／４以下であることがさらに好ましく、１／５以下であることがさらにより好ましい。
【００５２】
仕切板４０は、たとえば、上端部に内部通気溝７１を有している。また、仕切板４０は、たとえば、下端部にも内部通気溝７１を有している。内部通気溝７１は、たとえば、仕切板４０をその厚さ方向に貫通する切欠きである。仕切板４０は、たとえば、上端部と下端部にそれぞれ複数の内部通気溝７１を有している。複数の内部通気溝７１は、たとえば、断熱容器１００の縦方向に等間隔に設けられている。内部通気溝７１の大きさおよび数は、条件に応じて適宜変更することが可能である。
【００５３】
仕切板４０の上端部に設けられた内部通気溝７１は、たとえば図３に示すように、側壁１２の上端部に設けられた外部通気溝３１に対向する位置から側方にずれた位置に設けられている。同様に、仕切板４０の下端部に設けられた内部通気溝７１は、たとえば、側壁１２の下端部に設けられた貫通孔３２に対向する位置から側方にずれた位置に設けられている。
【００５４】
より具体的には、仕切板４０の上端部の内部通気溝７１は、たとえば、断熱容器１００の縦方向において、側方に隣り合う二つの外部通気溝３１の中間で側壁１２に対向する位置に設けられている。また、仕切板４０の下端部の内部通気溝７１は、たとえば、断熱容器１００の縦方向において、側方に隣り合う二つの貫通孔３２の中間で側壁１２に対向する位置に設けられている。
【００５５】
内部通気溝７１は、たとえば、容器１０の縦方向に対向する一対の内側壁と、その一対の内側壁に直交する底壁または上壁を有する矩形の断面形状を有している。内部通気溝７１の底壁または上壁は、たとえば、容器１０の底壁１１の下面におおむね平行に設けられている。なお、内部通気溝７１の断面形状は、特に限定されず、たとえば、半円形、半楕円形、その他の形状を有してもよい。
【００５６】
また、内部通気溝７１の底壁または上壁は、容器１０の底壁１１の下面に対して傾斜していてもよい。この場合、仕切板４０の上端部に設けられた内部通気溝７１の底壁は、たとえば、容器１０の外方から内方へ向けて底壁１１に近づくように下方へ傾斜していてもよい。また、仕切板４０の下端部に設けられた内部通気溝７１の上壁は、たとえば、容器１０の外方から内方へ向けて開口部１０ａまたは蓋２０に近づくように上方へ傾斜していてもよい。
【００５７】
断熱容器１００を構成する容器１０、蓋２０、および仕切板４０の素材は、特に限定はされないが、たとえば、ポリスチレン系樹脂、ポリエチレン系樹脂、エチレン−スチレン共重合体、ポリプロピレン樹脂等の合成樹脂発泡体を用いることができる。また、容器１０、蓋２０、および仕切板４０は、たとえば中空の非発泡樹脂によって構成することも可能である。
【００５８】
断熱室５０は、蓋２０により開口部１０ａが閉塞された容器１０の内部空間ＩＳの一部であり、容器１０と蓋２０と仕切板４０とによって画定された空間である。同様に、収容室６０は、蓋２０により開口部１０ａが閉塞された容器１０の内部空間ＩＳの一部であり、容器１０と蓋２０と仕切板４０とによって画定された空間である。断熱室５０の容積は、たとえば、収容室６０の容積よりも小さい。
【００５９】
断熱室５０は、たとえば、空気を収容することで断熱容器１００の外部空間ＥＳと収容室６０との間の伝熱を抑制するための空間である。断熱室５０は、たとえば、外部通気孔３０を介して断熱容器１００の外部空間ＥＳに連通するとともに、内部通気孔７０を介して収容室６０に連通している。
【００６０】
収容室６０は、たとえば、断熱容器１００の内容物を収容するための空間である。収容室６０は、断熱容器１００の内部空間ＩＳにおいて、断熱室５０よりも容器１０の内方側に設けられている。換言すると、断熱室５０は、断熱容器１００の内部空間ＩＳにおいて、収容室６０よりも容器１０の外方側に設けられている。
【００６１】
図５に示すように、断熱容器１００の上端部に設けられた内部通気孔７０は、たとえば、仕切板４０の上端部に設けられた内部通気溝７１と蓋２０とによって画定されている。同様に、断熱容器１００の下端部に設けられた内部通気孔７０は、たとえば、仕切板４０の下端部に設けられた内部通気溝７１と容器１０の底壁１１とによって画定されている。
【００６２】
また、断熱容器１００の上端部の内部通気孔７０は、たとえば断熱容器１００の上端部の外部通気孔３０に対向する位置から側方にずれた位置に設けられている。より具体的には、断熱容器１００の上端部の内部通気孔７０は、たとえば、断熱容器１００の縦方向において、側方に隣り合う二つの外部通気孔３０の中間で側壁１２に対向する位置に設けられている。これは、前述の仕切板４０の上端部の内部通気溝７１と、側壁１２の上端部の外部通気溝３１との位置関係によるものである。
【００６３】
同様に、断熱容器１００の下端部に設けられた内部通気孔７０は、たとえば断熱容器１００の下端部に設けられた外部通気孔３０に対向する位置から側方にずれた位置に設けられている。より具体的には、断熱容器１００の下端部に設けられた内部通気孔７０は、たとえば、断熱容器１００の縦方向において、断熱容器１００の下端部に設けられて側方に隣り合う二つの外部通気孔３０の中間で側壁１２に対向する位置に設けられている。これは、前述の仕切板４０の下端部の内部通気溝７１と、側壁１２の下端部の貫通孔３２との位置関係によるものである。
【００６４】
以上のように、断熱容器１００は、容器１０と、その容器１０の上端部に設けられた開口部１０ａを閉塞する蓋２０と、その蓋２０によって開口部１０ａが閉塞された容器１０の内部空間ＩＳと外部空間ＥＳとを連通する外部通気孔３０と、を備えている。さらに、断熱容器１００は、内部空間ＩＳを仕切る仕切板４０を備えている。この仕切板４０は、外部通気孔３０に対向して内部空間ＩＳに断熱室５０を画定する外壁面４１と、内部空間ＩＳに内容物の収容室６０を画定する内壁面４２と、を有している。そして、断熱容器１００は、断熱室５０と収容室６０とを連通する内部通気孔７０を備えている。
【００６５】
以下、本実施形態に係る断熱容器１００の作用を説明する。
【００６６】
断熱容器１００は、たとえば、収容室６０に内容物が収容され、容器１０の上端部の開口部１０ａが蓋２０によって閉塞された状態で、温度管理がされている環境下に置かれる場合がある。このような場合に、断熱容器１００は、容器１０の内部空間ＩＳと外部空間ＥＳとを連通する外部通気孔３０を介して、外部空間ＥＳの空気を内部空間ＩＳへ導入することができる。断熱容器１００の内部空間ＩＳへ導入された空気は、仕切板４０によって仕切られた断熱室５０へ流入する。
【００６７】
仕切板４０は、前述のように、容器１０の内部で容器外方を向く外壁面４１によって、容器１０の内部空間ＩＳの最も外方側に断熱室５０を画定する。また、仕切板４０は、前述のように、容器１０の内部で容器内方を向く内壁面４２によって、断熱室５０よりも容器１０の内部空間ＩＳの内方側に、内容物を収容するための収容室６０を画定する。そして、断熱容器１００は、前述のように、内部空間ＩＳの外方側に位置する断熱室５０と、その断熱室５０よりも内部空間ＩＳの内方側に位置する収容室６０とを連通する内部通気孔７０を有している。
【００６８】
そのため、断熱容器１００の外部空間ＥＳから外部通気孔３０を介して断熱室５０へ流入した空気は、内部空間ＩＳの外方側に位置する断熱室５０から、内部空間ＩＳの内方側に位置する収容室６０へ、内部通気孔７０を介して導入される。このように、断熱容器１００の外部空間ＥＳの温度管理がされている環境下では、外部通気孔３０、断熱室５０、および内部通気孔７０を介して、断熱容器１００の外部の空気を断熱容器１００の内部の収容室６０へ導入することができる。これにより、容器１０の開口部１０ａを閉塞する蓋２０を外すことなく、収容室６０の温度を断熱容器１００の外部空間ＥＳの温度に迅速に追従させることができる。
【００６９】
また、断熱容器１００は、外部空間ＥＳの温度管理がされている環境から、外部空間ＥＳの温度管理がされていない環境に搬出される場合がある。この場合に、収容室６０よりも断熱容器１００の内部空間ＩＳの外方側に位置する断熱室５０の空気が、断熱容器１００の外部空間ＥＳと収容室６０との間の伝熱を抑制する断熱層として機能する。これにより、断熱容器１００の外部空間ＥＳの温度管理がされていない環境下では、断熱室５０の空気によって外部空間ＥＳと収容室６０との間を断熱し、収容室６０の温度変化を抑制することができる。
【００７０】
また、断熱容器１００の外部空間ＥＳの温度管理がされていない環境下では、外部空間ＥＳの温度管理がされていた環境下で収容室６０に流入した空気が、収容室６０から内部通気孔７０を介して断熱室５０へ流出する。これにより、断熱容器１００の外部空間ＥＳと断熱室５０との間の伝熱によって断熱室５０と収容室６０との温度差が拡大することが抑制される。したがって、断熱室５０による断熱効果を向上させ、断熱容器１００の外部空間ＥＳと収容室６０との間の伝熱による温度変化を抑制することができる。
【００７１】
また、本実施形態の断熱容器１００において、外部通気孔３０は、容器１０の側壁１２の上端部に設けられた外部通気溝３１と蓋２０とによって画定されている。また、内部通気孔７０は、仕切板４０の上端部に設けられた内部通気溝７１と蓋２０とによって画定されている。
【００７２】
たとえば、断熱容器１００を保冷容器として用い、断熱容器１００の外部空間ＥＳで冷凍または冷蔵用の低温管理がされている環境下に置いた場合、断熱容器１００の内部空間ＩＳの温度が外部空間ＥＳの温度よりも高い場合がある。一般に、冷気は下方へ移動しやすい。そのため、上記の構成によって断熱容器１００の上端部に外部通気孔３０を画定することで、蓋２０を外すことなく、外部通気孔３０を介して外部空間ＥＳの冷気を容易に断熱室５０へ流入させ、断熱室５０の温度を迅速に低下させることができる。同様に、上記の構成によって断熱容器１００の上端部に内部通気孔７０を画定することで、内部通気孔７０を介して断熱室５０の冷気を容易に収容室６０へ導入することができる。これにより、収容室６０の温度を低温管理された断熱容器１００の外部空間ＥＳの温度に追従させて迅速に低下させることができる。
【００７３】
また、断熱容器１００の外部空間ＥＳで冷凍または冷蔵用の低温管理がされていない環境下では、外部空間ＥＳの温度が断熱容器１００の内部空間ＩＳの温度よりも高くなる場合がある。一般に、冷気は上方へ移動しにくい。そのため、上記の構成によって断熱容器１００の上端部に外部通気孔３０を画定することで、断熱室５０内の冷気が外部通気孔３０を介して外部空間ＥＳへ流出しにくくなる。同様に、上記の構成によって断熱容器１００の上端部に内部通気孔７０を画定することで、収容室６０内の冷気が内部通気孔７０を介して断熱室５０へ流出しにくくなる。したがって、収容室６０の温度上昇を抑制することができる。
【００７４】
本実施形態の断熱容器１００において、外部通気孔３０は、容器１０の側壁１２の下端部に開口する貫通孔３２である。また、内部通気孔７０は、仕切板４０の下端部に設けられた内部通気溝７１と容器１０の底壁１１とによって画定されている。
【００７５】
前述のように、断熱容器１００を保冷容器として用い、断熱容器１００の外部空間ＥＳで冷凍または冷蔵用の低温管理がされている環境下に置いた場合、断熱容器１００の内部空間ＩＳの温度が外部空間ＥＳの温度よりも高い場合がある。一般に、冷気は下方へ移動しやすい。そのため、上記の構成によって断熱容器１００の下端部に外部通気孔３０を画定することで、蓋２０を外すことなく、外部通気孔３０を介して外部空間ＥＳの冷気を容易に断熱室５０へ流入させ、断熱室５０の温度を迅速に低下させることができる。同様に、上記の構成によって断熱容器１００の下端部に内部通気孔７０を画定することで、内部通気孔７０を介して断熱室５０の冷気を容易に収容室６０へ導入することができる。これにより、収容室６０の温度を低温管理された断熱容器１００の外部空間ＥＳの温度に追従させて迅速に低下させることができる。
【００７６】
また、断熱容器１００を保冷容器として用い、断熱容器１００の外部空間ＥＳで冷凍または冷蔵用の低温管理がされていない環境下に置いた場合、外部空間ＥＳの温度が断熱容器１００の内部空間ＩＳの温度よりも高くなる場合がある。一般に、冷気は下方へ移動しやすい。そのため、上記の構成によって断熱容器１００の下端部に内部通気孔７０を画定することで、収容室６０内の冷気が内部通気孔７０を介して断熱室５０へ流出しやすくなる。これにより、断熱容器１００の外部空間ＥＳから断熱室５０への伝熱によって断熱室５０の温度が上昇するのを抑制することができ、断熱容器１００の外部空間ＥＳから収容室６０への伝熱による収容室６０の温度上昇を抑制することができる。
【００７７】
また、断熱容器１００を保温容器として用い、断熱容器１００の外部空間ＥＳで保温用の温度管理がされている環境下に置いた場合、断熱容器１００の内部空間ＩＳの温度が外部空間ＥＳの温度よりも低い場合がある。一般に、暖気は上方へ移動しやすい。そのため、上記の構成によって断熱容器１００の下端部に外部通気孔３０を画定することで、蓋２０を外すことなく、外部通気孔３０を介して外部空間ＥＳの暖気を容易に断熱室５０へ流入させ、断熱室５０の温度を迅速に上昇させることができる。同様に、上記の構成によって断熱容器１００の下端部に内部通気孔７０を画定することで、内部通気孔７０を介して断熱室５０の暖気を容易に収容室６０へ導入することができる。これにより、収容室６０の温度を保温用の温度管理がされた断熱容器１００の外部空間ＥＳの温度に追従させて迅速に上昇させることができる。
【００７８】
また、断熱容器１００を保温容器として用い、断熱容器１００の外部空間ＥＳで保温用の温度管理がされていない環境下に置いた場合、外部空間ＥＳの温度が断熱容器１００の内部空間ＩＳの温度よりも低くなる場合がある。一般に、暖気は下方へ移動しにくい。そのため、上記の構成によって断熱容器１００の下端部に外部通気孔３０を画定することで、断熱室５０内の暖気が外部通気孔３０を介して外部空間ＥＳへ流出しにくくなる。同様に、上記の構成によって断熱容器１００の下端部に内部通気孔７０を画定することで、収容室６０内の暖気が内部通気孔７０を介して断熱室５０へ流出しにくくなる。したがって、収容室６０の温度低下を抑制することができる。
【００７９】
また、本実施形態の断熱容器１００において、内部通気孔７０は、外部通気孔３０に対向する位置から側方にずれた位置に設けられている。
【００８０】
この構成により、断熱容器１００の外部空間ＥＳの温度管理がされている環境下では、外部空間ＥＳから外部通気孔３０を介して断熱室５０へ流入した空気が仕切板４０の内壁面４２に衝突し、断熱室５０に行き渡りやすくなる。これにより、断熱室５０の温度を、温度管理がされた断熱容器１００の外部空間ＥＳの温度に迅速に追従させることができる。したがって、断熱室５０から内部通気孔７０を介して空気が流入する収容室６０の温度を、外部空間ＥＳの温度に迅速に追従させることができる。
【００８１】
また、断熱容器１００の外部空間ＥＳの温度管理がされていない環境下では、収容室６０から内部通気孔７０を介して断熱室５０へ流出した空気が、断熱室５０を画定する容器１０の側壁１２の内壁面に衝突し、断熱室５０に行き渡りやすくなる。これにより、断熱容器１００の外部空間ＥＳと断熱室５０との間の伝熱によって断熱室５０と収容室６０との温度差が拡大することが抑制される。したがって、断熱室５０による断熱効果を向上させ、断熱容器１００の外部空間ＥＳと収容室６０との間の伝熱による温度変化を抑制することができる。
【００８２】
また、本実施形態の断熱容器１００において、仕切板４０は、容器１０の側壁１２に設けられた係合部である内壁溝１３に取り外し可能に係合されている。この構成により、仕切板４０を交換したり、仕切板４０を取り外して断熱容器１００を使用したりすることができる。
【００８３】
以上説明したように、本実施形態によれば、外部空間ＥＳの温度管理がされている環境下では蓋２０を外すことなく、収容室６０の温度を外部空間ＥＳの温度に迅速に追従させることができ、温度管理がされていない環境下では収容室６０の温度変化を抑制することが可能な断熱容器１００を提供することができる。
【００８４】
［実施形態２］
次に、図１を援用し、図６から図８を参照して、本開示の断熱容器の実施形態２を説明する。図６は、本開示の実施形態２に係る断熱容器１００Ａの蓋２０を取り外した状態の平面図である。図７は、図６に示す断熱容器１００Ａの仕切板４０Ａの斜視図である。図８は、図６に示す断熱容器１００Ａの蓋２０を取付けた状態の断面図である。
【００８５】
本実施形態の断熱容器１００Ａは、仕切板４０Ａが、断熱室５０の空気の対流を抑制する対流抑制部４３と、断熱室５０の空気の対流を許容する対流許容部４４とを有している点で、前述の実施形態１に係る断熱容器１００と異なっている。本実施形態の断熱容器１００Ａのその他の点は、前述の実施形態１に係る断熱容器１００と同様であるため、同様の部分には同一の符号を付して説明を省略する。
【００８６】
本実施形態の断熱容器１００Ａにおいて、仕切板４０Ａは、断熱室５０の空気の対流を抑制する対流抑制部４３と、断熱室５０の空気の対流を許容する対流許容部４４とを有している。仕切板４０Ａの対流抑制部４３と、容器１０の側壁１２との間隔Ｄ１は、仕切板４０Ａの対流許容部４４と、容器１０の側壁１２との間隔Ｄ２よりも狭い。より具体的には、対流抑制部４３と側壁１２との間隔Ｄ１は、たとえば５［ｍｍ］以下であり、対流許容部４４と側壁１２との間隔Ｄ２は、たとえば１０［ｍｍ］以上である。対流抑制部４３は、たとえば、仕切板４０Ａの外壁面４１から対向する側壁１２へ向けて突出する凸状に設けられている。
【００８７】
対流許容部４４は、たとえば、外部通気孔３０に対向する仕切板４０Ａの端部に設けられていている。具体的には、対流許容部４４は、たとえば、外部通気孔３０に対向する仕切板４０Ａの上端部と下端部に設けられていている。また、対流許容部４４は、たとえば、仕切板４０Ａの外壁面４１の側端部に設けられ、仕切板４０Ａの上端から下端まで連続している。これにより、対流許容部４４は、たとえば、仕切板４０Ａの外壁面４１の周縁部に、対流抑制部４３を囲む矩形枠状に設けられている。
【００８８】
以下、本実施形態に係る断熱容器１００Ａの作用を説明する。
【００８９】
本実施形態の断熱容器１００Ａは、前述の実施形態１の断熱容器１００と同様に、容器１０と、その容器１０の上端部に設けられた開口部１０ａを閉塞する蓋２０と、その蓋２０によって開口部１０ａが閉塞された容器１０の内部空間ＩＳと外部空間ＥＳとを連通する外部通気孔３０と、を備えている。さらに、断熱容器１００Ａは、内部空間ＩＳを仕切る仕切板４０Ａを備えている。この仕切板４０Ａは、外部通気孔３０に対向して内部空間ＩＳに断熱室５０を画定する外壁面４１と、内部空間ＩＳに内容物の収容室６０を画定する内壁面４２と、を有している。そして、断熱容器１００Ａは、断熱室５０と収容室６０とを連通する内部通気孔７０を備えている。したがって、本実施形態の断熱容器１００Ａによれば、前述の実施形態１の断熱容器１００と同様の効果を奏することができる。
【００９０】
また、本実施形態の断熱容器１００Ａにおいて、仕切板４０Ａは、断熱室５０の空気の対流を抑制する対流抑制部４３と、断熱室５０の空気の対流を許容する対流許容部４４とを有している。仕切板４０Ａの対流抑制部４３と、容器１０の側壁１２との間隔Ｄ１は、仕切板４０Ａの対流許容部４４と、容器１０の側壁１２との間隔Ｄ２よりも狭い。
【００９１】
この構成により、断熱容器１００Ａの外部空間ＥＳの温度管理がされている環境下で、外部空間ＥＳから外部通気孔３０を介して断熱室５０へ流入した空気は、仕切板４０Ａの対流抑制部４３と対流許容部４４によって断熱室５０の一部で対流が抑制され、断熱室５０の一部で対流が許容される。これにより、空気の対流が許容された断熱室５０の一部の温度を、断熱容器１００Ａの外部空間ＥＳの温度に迅速に追従させることができる。したがって、断熱室５０から内部通気孔７０を介して空気が流入する収容室６０の温度を、外部空間ＥＳの温度に迅速に追従させることができる。一方、断熱容器１００Ａの外部空間ＥＳの温度管理がされていない環境下では、仕切板４０Ａの対流抑制部４３によって断熱室５０の一部の空気の対流を抑制し、断熱室５０の空気による収容室６０の断熱性を向上させることができる。
【００９２】
また、本実施形態の断熱容器１００Ａにおいて、対流許容部４４は、外部通気孔３０に対向する仕切板４０Ａの端部に設けられている。
【００９３】
この構成により、断熱容器１００Ａの外部空間ＥＳの温度管理がされている環境下で、外部空間ＥＳから外部通気孔３０を介して断熱室５０へ流入する空気を仕切板４０Ａの外壁面４１に衝突させ、対流許容部４４によって断熱室５０内で対流させることができる。これにより、仕切板４０Ａに対流許容部４４が設けられている断熱室５０の一部において、断熱室５０の温度を断熱容器１００Ａの外部空間ＥＳの温度に迅速に追従させることができる。さらに、断熱室５０から内部通気孔７０を介して収容室６０へ空気を流入させることで、収容室６０の温度を外部空間ＥＳの温度に迅速に追従させることができる。
【００９４】
また、本実施形態の断熱容器１００Ａにおいて、仕切板４０Ａの対流許容部４４は、仕切板４０Ａの上端から下端まで連続している。
【００９５】
この構成により、断熱容器１００Ａの外部空間ＥＳの温度管理がされている環境下で、外部空間ＥＳから外部通気孔３０を介して断熱室５０へ流入した空気を、断熱室５０の上端部と下端部との間で対流させ、断熱室５０の温度を外部空間ＥＳの温度に迅速に追従させることができる。また、断熱容器１００Ａの外部空間ＥＳの温度管理がされていない環境下で、収容室６０から断熱室５０へ流出した空気を、断熱室５０の上端部と下端部との間で対流させ、断熱室５０と収容室６０との温度差を低下させることができる。
【００９６】
［実施形態３］
次に、図１を援用し、図９から図１１を参照して、本開示の断熱容器の実施形態３を説明する。図９は、本開示の実施形態３に係る断熱容器１００Ｂの蓋を取り外した状態の平面図である。図１０は、図９に示す断熱容器１００Ｂの仕切板４０Ｂの斜視図である。図１１は、図９に示す断熱容器１００Ｂの蓋２０を取付けた状態の断面図である。
【００９７】
本実施形態の断熱容器１００Ｂは、仕切板４０Ｂが複数の対流抑制部４３を有し、対流抑制部４３と対流抑制部４３との間に仕切板４０Ｂの上端から下端まで連続する対流許容部４４が設けられている点で、前述の実施形態２に係る断熱容器１００Ａと異なっている。本実施形態の断熱容器１００Ｂのその他の点は、前述の実施形態２に係る断熱容器１００Ａと同様であるため、同様の部分には同一の符号を付して説明を省略する。
【００９８】
仕切板４０Ｂは、前述の実施形態２に係る断熱容器１００Ａと同様に、対流抑制部４３と対流許容部４４を有している。したがって、本実施形態の断熱容器１００Ｂによれば、前述の実施形態２の断熱容器１００Ａと同様の効果を奏することができる。
【００９９】
また、複数の対流抑制部４３は、断熱容器１００Ｂの縦方向に間隔をあけて配置され、対流抑制部４３と対流抑制部４３との間に仕切板４０Ｂの上端から下端まで連続する対流許容部４４が設けられている。この構成により、前述の実施形態２の断熱容器１００Ａと比較して、断熱室５０の上端部と下端部との間の空気の対流をより促進させることができる。したがって、断熱容器１００Ｂの外部空間ＥＳの温度管理がされている環境下で、断熱室５０の温度を外部空間ＥＳの温度により迅速に追従させることができる。また、断熱容器１００Ｂの外部空間ＥＳの温度管理がされていない環境下で、断熱室５０と収容室６０との温度差をより低下させることができる。
【０１００】
以上、図面を用いて本開示に係る断熱容器の一実施形態を詳述してきたが、具体的な構成はこの実施形態に限定されるものではなく、本開示の要旨を逸脱しない範囲における設計変更等があっても、それらは本開示に含まれるものである。
【０１０１】
たとえば、前述の実施形態では、外部通気孔および内部通気孔が断熱容器の上端部および下端部の双方に設けられている構成を説明した。しかし、本開示の断熱容器において、外部通気孔および内部通気孔は、断熱容器の上端部のみに設けられていてもよく、断熱容器の下端部のみに設けられていてもよい。また、外部通気孔を断熱容器の上端部のみに設け、内部通気口を断熱容器の下端部のみに設けてもよく、外部通気孔を断熱容器の下端部のみに設け、内部通気口を断熱容器の上端部のみに設けてもよい。また、外部通気孔および内部通気口は、それぞれ、容器の側壁および仕切板の上端部から下端部までの任意の位置に設けられた貫通孔であってもよい。
【０１０２】
また、前述の実施形態では、外部通気孔が容器の側壁の上端部に設けられた外部通気溝と蓋とによって画定され、内部通気孔が仕切板の上端部に設けられた内部通気溝と蓋とによって画定される断熱容器について説明した。しかし、外部通気孔を画定する外部通気溝は、たとえば、側壁の上端部と蓋の下端部の双方に設けられてもよい。また、外部通気孔を画定する外部通気溝は、たとえば、蓋の下端部のみに設けられ、側壁の上端部との間に外部通気溝を画定してもよい。同様に、断熱容器の下端部の内部通気孔は、仕切板の下端部と容器の底壁の双方に設けられた内部通気溝によって画定されてもよく、容器の底壁に設けられた内部通気溝と内部通気溝を有しない仕切板の下端部とによって画定されていてもよい。
【０１０３】
また、前述の実施形態では、直方体の箱形の容器の対向する一対の側壁に沿って一対の仕切板を備える断熱容器について説明したが、断熱容器は、すべての側壁に沿う仕切板を備えてもよい。たとえば、容器が直方体の箱形である場合には、たとえば、対向する一対の側壁に沿う一対の仕切板に対し、別の対向する一対の側壁に沿う一対の仕切板を井桁状に組み合わせることができる。さらに、断熱容器は、蓋または容器の底壁を上下方向に沿って貫通する外部通気孔を備えてもよい。この場合、仕切板は、蓋の下面または容器の底壁の上面に対向して配置されていてもよい。
【０１０４】
以下、本開示の断熱容器の実施例とその比較対象としての比較例を説明する。
【０１０５】
［実施例］
ポリスチレン樹脂を発泡させて押出成形した厚さ５［ｍｍ］の発泡ポリスチレンシートを用いて前述の実施形態１の断熱容器と同様の構成を備えた実施例に係る断熱容器を製作した。断熱容器の外寸は、縦方向を２００［ｍｍ］、横方向を２００［ｍｍ］、高さ方向を２００［ｍｍ］とした。
【０１０６】
断熱容器の外部通気孔は、容器の対向する一対の側壁の中央部の上端部と下端部にそれぞれ一つずつ形成した。また、断熱容器の内部通気孔は、仕切板の上端部と下端部に二つずつ、外部通気孔に対向する位置の両側に形成した。断熱容器の上端部に形成した外部通気孔と内部通気孔の開口は、高さを４０［ｍｍ］、幅を２０［ｍｍ］とした。また、断熱容器の下端部に形成した外部通気孔と内部通気孔の開口は、高さを４０［ｍｍ］、幅を１０［ｍｍ］とした。
【０１０７】
次に、断熱容器の内容物として、１２０［ｍｌ］の水を入れて蓋をしたガラス瓶を用意した。そして、ガラス瓶の表面に温度センサを貼着して断熱容器の収容室に収容し、温度センサを安立計器製のデータコレクタ（ＡＭ−７００２）に接続した。その後、断熱容器をエスペック株式会社製の恒温器（ＰＬ−４ＳＴ）に収容し、断熱容器の外部空間の温度を、室温から５［℃］に低下させて１８［Ｈｒ］にわたって保持した後、３０［℃］に上昇させて２４［Ｈｒ］にわたって保持した。その後、断熱容器の外部空間の温度を、再度、５［℃］に低下させて２４［Ｈｒ］にわたって保持した後、再度、３０［℃］に上昇させて２４［Ｈｒ］にわたって保持した。
【０１０８】
［比較例１］
外部通気孔、内部通気孔および仕切板を有しない以外は、実施例の断熱容器と同様に比較例１の断熱容器を製作した。その後、実施例と同様のガラス瓶を比較例の断熱容器の内部に収容し、実施例と同様に比較例１の断熱容器を恒温器に収容して、比較例１の断熱容器の外部空間の温度を変化させた。
【０１０９】
［比較例２］
内部通気孔および仕切板を有しない以外は、実施例の断熱容器と同様に比較例２の断熱容器を製作した。その後、実施例と同様のガラス瓶を比較例２の断熱容器の内部に収容し、実施例と同様に比較例２の断熱容器を恒温器に収容して、比較例２の断熱容器の外部空間の温度を変化させた。
【０１１０】
図１２は、実施例ならびに比較例１および比較例２の断熱容器の内容物であるガラス瓶の表面の温度変化を示すグラフである。図１２において、破線は断熱容器の外部空間の温度を示し、実線は実施例に係る断熱容器の内容物の温度変化を示し、一点鎖線は比較例１に係る断熱容器の内容物の温度変化を示し、二点鎖線は比較例２に係る断熱容器の内容物の温度変化を示している。
【０１１１】
図１２に一点鎖線で示すように、比較例１の断熱容器の内容物は、外部空間の温度が低下したときに、温度の低下に遅れが見られた。これに対し、実施例に係る断熱容器の内容物と、比較例２に係る断熱容器の内容物は、外部空間の温度の低下に追従して、迅速に温度が低下した。
【０１１２】
また、図１２に二点鎖線で示すように、比較例２の断熱容器の内容物は、外部空間の温度が上昇したときに、外部空間の温度上昇に追従して急激に温度が上昇した。これに対し、実施例および比較例１の断熱容器の内容物は、外部空間の温度が上昇しても、温度が急激に上昇するのを抑制できた。
【０１１３】
以上のように、本実施例に係る断熱容器によれば、外部空間において低温の温度管理がされている環境下で、比較例１の断熱容器よりも内容物の温度を迅速に低下させることができた。また、本実施例に係る断熱容器によれば、外部空間において低温の温度管理がされていない環境下で、比較例２の断熱容器よりも内容物の温度変化を抑制することができた。
【符号の説明】
【０１１４】
１０      容器
１０ａ    開口部
１１      底壁
１２      側壁
１３      内壁溝（係合部）
２０      蓋
３０      外部通気孔
３１      外部通気溝
３２      貫通孔
４０      仕切板
４０Ａ    仕切板
４０Ｂ    仕切板
４１      外壁面
４２      内壁面
４３      対流抑制部
４４      対流許容部
５０      断熱室
６０      収容室
７０      内部通気孔
７１      内部通気溝
１００    断熱容器
１００Ａ  断熱容器
１００Ｂ  断熱容器
Ｄ１      間隔
Ｄ２      間隔
ＥＳ      外部空間
ＩＳ      内部空間
【図１】
2020045110.tif 000003
【図２】
2020045110.tif 000004
【図３】
2020045110.tif 000005
【図４】
2020045110.tif 000006
【図５】
2020045110.tif 000007
【図６】
2020045110.tif 000008
【図７】
2020045110.tif 000009
【図８】
2020045110.tif 000010
【図９】
2020045110.tif 000011
【図１０】
2020045110.tif 000012
【図１１】
2020045110.tif 000013
【図１２】
2020045110.tif 000014